(57)【特許請求の範囲】
【請求項１】
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、
前記第１の電源端子に接続される第１の外部端子と、
前記第２の電源端子に接続される第２の外部端子と、
１つのＬＥＤランプ又は直列に接続された複数のＬＥＤランプで構成され、一端が前記第１の外部端子に接続された第１のランプ回路と、
１つのＬＥＤランプ又は直列に接続された複数のＬＥＤランプで構成され、一端が前記第１のランプ回路の他端に接続された第２のランプ回路と、
１つのＬＥＤランプ又は直列に接続された複数のＬＥＤランプで構成され、一端が前記第２のランプ回路の他端に接続され、他端が前記第２の外部端子に接続された第３のランプ回路と、
第１の基準ノードと、前記第１の外部端子に接続された第１の接点との間、又は、前記第１の基準ノードと、前記第１のランプ回路の他端に接続された第２の接点との間の何れか一つのみを導通する第１のスイッチ回路と、
前記第１のランプ回路の他端に接続された第２の基準ノードと、前記第１の基準ノードに接続された第３の接点との間、又は、前記第２の基準ノードと第４の接点との間の何れか一つのみを導通する第２のスイッチ回路と、
前記第１の基準ノードに接続された第３の基準ノードと、前記第２の外部端子に接続された第５の接点との間、前記第３の基準ノードと、第６の接点との間、又は、前記第３の基準ノードと、前記第２のランプ回路の他端に接続された第７の接点との間の何れか一つのみを導通する第３のスイッチ回路と、
カソードが第２のランプ回路の他端に接続され、アノードが前記第４の接点に接続されたダイオードと、
一端が前記第４の接点に接続され、他端が前記第２の外部端子に接続されたスイッチ素子と、
前記第４の接点と前記第２の外部端子との間の電位差に応じて、前記スイッチ素子を制御するスイッチ制御回路と、を備え、
前記スイッチ制御回路は、
前記第４の接点と前記第２の外部端子との間の電位差の大きさが、予め設定された基準電圧以上の場合には、前記スイッチ素子をオンし、
前記第４の接点と前記第２の外部端子との間の電位差の大きさが、前記基準電圧未満の場合には、前記スイッチ素子をオフする
ことを特徴とするＬＥＤランプ点灯装置。
【請求項２】
前記ＬＥＤランプ点灯装置において、前記第１の外部端子と前記第２の外部端子との間が短絡されることにより、前記第１のランプ回路、前記第２のランプ回路、および、前記第３のランプ回路が消灯する
ことを特徴とする請求項１に記載のＬＥＤランプ点灯装置。
【請求項３】
前記スイッチ素子は、カソードが前記第４の接点に接続され、アノードが前記第２の外部端子に接続されたサイリスタである
ことを特徴とする請求項１に記載のＬＥＤランプ点灯装置。
【請求項４】
前記スイッチ制御回路は、  
一端が前記第４の接点に接続され、他端が前記サイリスタのゲートに接続された第１の抵抗と、
一端が前記第１の抵抗の他端に接続された第２の抵抗と、
アノードが前記第２の抵抗の他端に接続され、カソードが前記第２の外部端子に接続されたツェナーダイオードと、を有する
ことを特徴とする請求項３に記載のＬＥＤランプ点灯装置。
【請求項５】
前記ランプ駆動電源は、
交流発電機の一端に接続された第１の入力端子と、
前記交流発電機の他端に接続された第２の入力端子と、
一端が前記第１の入力端子に接続され、他端が前記第１の電源端子に接続された電源用スイッチ素子と、
一端が前記電源用スイッチ素子の他端に接続され、他端が前記第２の入力端子に接続されたコンデンサと、
一端が前記第２の入力端子に接続され、他端が前記第２の電源端子に接続された検出抵抗と、
前記検出抵抗に電流が流れる場合には、前記検出抵抗に流れる電流が一定になるように前記電源用スイッチ素子を制御し、一方、前記検出抵抗に電流が流れない場合には、前記第１の電源端子と前記第２の電源端子との間の電圧が予め設定された規定電圧になるように、前記電源用スイッチ素子を制御する駆動制御回路と、を有する
ことを特徴とする請求項１に記載のＬＥＤランプ点灯装置。
【請求項６】
前記ランプ駆動電源は、
定電圧制御機能と定電流制御機能を有して構成されており、
前記第１のランプ回路、第２のランプ回路、および前記第３のランプ回路中の何れかのＬＥＤランプに電流を流せる場合には、前記定電流制御機能により、前記ＬＥＤランプに定電流を流し、
前記第１のランプ回路、第２のランプ回路、および前記第３のランプ回路中の何れのＬＥＤランプにも電流を流せない場合には、前記定電圧制御機能により、前記第１の電源端子と前記第２の電源端子との間に出力する出力電圧を、予め設定された規定電圧まで上昇させて一定の電圧に制限する
ことを特徴とする請求項１に記載のＬＥＤランプ点灯装置。
【請求項７】
前記第１のランプ回路の前記一端は、前記第１のランプ回路の前記ＬＥＤランプのカソード側であり、
前記第１のランプ回路の前記他端は、前記第１のランプ回路の前記ＬＥＤランプのアノード側であり、
前記第２のランプ回路の前記一端は、前記第２のランプ回路の前記ＬＥＤランプのカソード側であり、
前記第２のランプ回路の前記他端は、前記第２のランプ回路の前記ＬＥＤランプのアノード側であり、
前記第３のランプ回路の前記一端は、前記第３のランプ回路の前記ＬＥＤランプのカソード側であり、
前記第３のランプ回路の前記他端は、前記第３のランプ回路の前記ＬＥＤランプのアノード側である
ことを特徴とする請求項１に記載のＬＥＤランプ点灯装置。
【請求項８】
前記第１のスイッチ回路、前記第２のスイッチ回路、および、前記第３のスイッチ回路は、使用者により手動で制御されるようになっている
ことを特徴とする請求項１に記載のＬＥＤランプ点灯装置。
【請求項９】
前記第１のランプ回路のＬＥＤランプは、車両のヘッドランプのハイビーム用ランプであり、
前記第２のランプ回路のＬＥＤランプは、前記ヘッドランプのロービーム用ランプであり、
前記第３のランプ回路のＬＥＤランプは、前記車両のポジションランプであることを特徴とする請求項１に記載のＬＥＤランプ点灯装置。
【請求項１０】
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、前記第１の電源端子に接続される第１の外部端子と、前記第２の電源端子に接続される第２の外部端子と、１つのＬＥＤランプ又は直列に接続された複数のＬＥＤランプで構成され、一端が前記第１の外部端子に接続された第１のランプ回路と、１つのＬＥＤランプ又は直列に接続された複数のＬＥＤランプで構成され、一端が前記第１のランプ回路の他端に接続された第２のランプ回路と、１つのＬＥＤランプ又は直列に接続された複数のＬＥＤランプで構成され、一端が前記第２のランプ回路の他端に接続され、他端が前記第２の外部端子に接続された第３のランプ回路と、第１の基準ノードと、前記第１の外部端子に接続された第１の接点との間、又は、前記第１の基準ノードと、前記第１のランプ回路の他端に接続された第２の接点との間の何れか一つのみを導通する第１のスイッチ回路と、前記第１のランプ回路の他端に接続された第２の基準ノードと、前記第１の基準ノードに接続された第３の接点との間、又は、前記第２の基準ノードと第４の接点との間の何れか一つのみを導通する第２のスイッチ回路と、前記第１の基準ノードに接続された第３の基準ノードと、前記第２の外部端子に接続された第５の接点との間、前記第３の基準ノードと、第６の接点との間、又は、前記第３の基準ノードと、前記第２のランプ回路の他端に接続された第７の接点との間の何れか一つのみを導通する第３のスイッチ回路と、カソードが第２のランプ回路の他端に接続され、アノードが前記第４の接点に接続されたダイオードと、一端が前記第４の接点に接続され、他端が前記第２の外部端子に接続されたスイッチ素子と、前記第４の接点と前記第２の外部端子との間の電位差に応じて、前記スイッチ素子を制御するスイッチ制御回路と、を備えるＬＥＤランプ点灯装置の制御方法であって、
前記第４の接点と前記第２の外部端子との間の電位差の大きさが、予め設定された基準電圧以上の場合には、前記スイッチ素子をオンし、
前記第４の接点と前記第２の外部端子との間の電位差の大きさが、前記基準電圧未満の場合には、前記スイッチ素子をオフする
ことを特徴とするＬＥＤランプ点灯装置の制御方法。
【発明の詳細な説明】
【技術分野】
【０００１】
本発明は、ＬＥＤランプ点灯装置、および、ＬＥＤランプ点灯装置の制御方法に関する。
【背景技術】
【０００２】
一般に、ＬＥＤ (Ｌｉｇｈｔ Ｅｍｉｔｔｉｎｇ Ｄｉｏｄｅ) ランプは、低電圧で駆動することができ、フィラメント灯（バルブランプ）などと比較して長寿命、低消費電力、素早い反応速度、及び耐衝撃性を有しており、小型、軽量化を図ることができる。【０００３】
このため、ＬＥＤランプは、例えば、車両のヘッドランプなどに好適に用いることができる。【０００４】
このような、ＬＥＤランプの駆動装置の一例として、例えば、特開２０１２−１６０４１３号公報に示すようなＬＥＤ点灯制御装置がある。【０００５】
この特開２０１２−１６０４１３号公報に記載のＬＥＤ点灯制御装置は、簡単な回路構成でＬＥＤオープンエラーを検知し、ＬＥＤオープンエラーを生じないＬＥＤ電圧を決定することができる。【０００６】
しかし、上述した特開２０１２−１６０４１３号公報のＬＥＤ点灯制御装置のように、直列に接続された複数のＬＥＤ ランプを１つのドライバ回路で駆動する場合、何れか１灯のＬＥＤランプが破壊(断線) すると全てのＬＥＤランプが消灯するという問題がある。そして、上述した特開２０１２−１６０４１３号公報のＬＥＤ点灯制御装置は、従来の一般的なバルブランプ点灯装置と同様の動作ができない。
【発明の概要】
【課題を解決するための手段】
【０００７】
本発明の一態様に係る実施例に従ったＬＥＤランプ点灯装置は、
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、
前記第１の電源端子に接続される第１の外部端子と、
前記第２の電源端子に接続される第２の外部端子と、
１つのＬＥＤランプ又は直列に接続された複数のＬＥＤランプで構成され、一端が前記第１の外部端子に接続された第１のランプ回路と、
１つのＬＥＤランプ又は直列に接続された複数のＬＥＤランプで構成され、一端が前記第１のランプ回路の他端に接続された第２のランプ回路と、
１つのＬＥＤランプ又は直列に接続された複数のＬＥＤランプで構成され、一端が前記第２のランプ回路の他端に接続され、他端が前記第２の外部端子に接続された第３のランプ回路と、
第１の基準ノードと、前記第１の外部端子に接続された第１の接点との間、又は、前記第１の基準ノードと、前記第１のランプ回路の他端に接続された第２の接点との間の何れか一つのみを導通する第１のスイッチ回路と、
前記第１のランプ回路の他端に接続された第２の基準ノードと、前記第１の基準ノードに接続された第３の接点との間、又は、前記第２の基準ノードと第４の接点との間の何れか一つのみを導通する第２のスイッチ回路と、
前記第１の基準ノードに接続された第３の基準ノードと、前記第２の外部端子に接続された第５の接点との間、前記第３の基準ノードと、第６の接点との間、又は、前記第３の基準ノードと、前記第２のランプ回路の他端に接続された第７の接点との間の何れか一つのみを導通する第３のスイッチ回路と、
カソードが第２のランプ回路の他端に接続され、アノードが前記第４の接点に接続されたダイオードと、
一端が前記第４の接点に接続され、他端が前記第２の外部端子に接続されたスイッチ素子と、
前記第４の接点と前記第２の外部端子との間の電位差に応じて、前記スイッチ素子を制御するスイッチ制御回路と、を備え、
前記スイッチ制御回路は、
前記第４の接点と前記第２の外部端子との間の電位差の大きさが、予め設定された基準電圧以上の場合には、前記スイッチ素子をオンし、
前記第４の接点と前記第２の外部端子との間の電位差の大きさが、前記基準電圧未満の場合には、前記スイッチ素子をオフする
ことを特徴とする。【０００８】
前記ＬＥＤランプ点灯装置において、
前記第１の外部端子と前記第２の外部端子との間が短絡されることにより、前記第１のランプ回路、前記第２のランプ回路、および、前記第３のランプ回路が消灯する
ことを特徴とする。【０００９】
前記ＬＥＤランプ点灯装置において、
前記スイッチ素子は、カソードが前記第４の接点に接続され、アノードが前記第２の外部端子に接続されたサイリスタである
ことを特徴とする。【００１０】
前記ＬＥＤランプ点灯装置において、
前記スイッチ制御回路は、  
一端が前記第４の接点に接続され、他端が前記サイリスタのゲートに接続された第１の抵抗と、
一端が前記第１の抵抗の他端に接続された第２の抵抗と、
アノードが前記第２の抵抗の他端に接続され、カソードが前記第２の外部端子に接続されたツェナーダイオードと、を有する
ことを特徴とする。【００１１】
前記ＬＥＤランプ点灯装置において、
前記ランプ駆動電源は、
交流発電機の一端に接続された第１の入力端子と、
前記交流発電機の他端に接続された第２の入力端子と、
一端が前記第１の入力端子に接続され、他端が前記第１の電源端子に接続された電源用スイッチ素子と、
一端が前記電源用スイッチ素子の他端に接続され、他端が前記第２の入力端子に接続されたコンデンサと、
一端が前記第２の入力端子に接続され、他端が前記第２の電源端子に接続された検出抵抗と、
前記検出抵抗に電流が流れる場合には、前記検出抵抗に流れる電流が一定になるように前記電源用スイッチ素子を制御し、一方、前記検出抵抗に電流が流れない場合には、前記第１の電源端子と前記第２の電源端子との間の電圧が予め設定された規定電圧になるように、前記電源用スイッチ素子を制御する駆動制御回路と、を有する
ことを特徴とする。【００１２】
前記ＬＥＤランプ点灯装置において、
前記電源用スイッチ素子は、カソードが前記第１の入力端子に接続され、アノードが前記第１の電源端子に接続され、ゲートに前記駆動制御回路から制御信号が入力されるサイリスタである
ことを特徴とする。【００１３】
前記ＬＥＤランプ点灯装置において、
前記ランプ駆動電源は、
定電圧制御機能と定電流制御機能を有して構成されており、
前記第１のランプ回路、第２のランプ回路、および前記第３のランプ回路中の何れかのＬＥＤランプに電流を流せる場合には、前記定電流制御機能により、前記ＬＥＤランプに定電流を流し、
前記第１のランプ回路、第２のランプ回路、および前記第３のランプ回路中の何れのＬＥＤランプにも電流を流せない場合には、前記定電圧制御機能により、前記第１の電源端子と前記第２の電源端子との間に出力する出力電圧を、予め設定された規定電圧まで上昇させて一定の電圧に制限する
ことを特徴とする。【００１４】
前記ＬＥＤランプ点灯装置において、
前記第１のランプ回路の前記一端は、前記第１のランプ回路の前記ＬＥＤランプのカソード側であり、
前記第１のランプ回路の前記他端は、前記第１のランプ回路の前記ＬＥＤランプのアノード側であり、
前記第２のランプ回路の前記一端は、前記第２のランプ回路の前記ＬＥＤランプのカソード側であり、
前記第２のランプ回路の前記他端は、前記第２のランプ回路の前記ＬＥＤランプのアノード側であり、
前記第３のランプ回路の前記一端は、前記第３のランプ回路の前記ＬＥＤランプのカソード側であり、
前記第３のランプ回路の前記他端は、前記第３のランプ回路の前記ＬＥＤランプのアノード側である
ことを特徴とする。【００１５】
前記ＬＥＤランプ点灯装置において、
前記第１のスイッチ回路、前記第２のスイッチ回路、および、前記第３のスイッチ回路は、使用者により手動で制御されるようになっている
ことを特徴とする。【００１６】
前記ＬＥＤランプ点灯装置において、
前記第１のランプ回路のＬＥＤランプは、車両のヘッドランプのハイビーム用ランプであり、
前記第２のランプ回路のＬＥＤランプは、前記ヘッドランプのロービーム用ランプであり、
前記第３のランプ回路のＬＥＤランプは、前記車両のポジションランプであることを特徴とする。【００１７】
本発明の一態様に係るＬＥＤ ランプ点灯装置の制御方法は、
ランプ駆動電源の低電位側の第１の電源端子と高電位側の第２の電源端子との間に接続され、前記ランプ駆動電源から駆動電流の供給を受け、前記駆動電流により直列に接続された複数のＬＥＤランプを点灯するＬＥＤランプ点灯装置であって、前記第１の電源端子に接続される第１の外部端子と、前記第２の電源端子に接続される第２の外部端子と、１つのＬＥＤランプ又は直列に接続された複数のＬＥＤランプで構成され、一端が前記第１の外部端子に接続された第１のランプ回路と、１つのＬＥＤランプ又は直列に接続された複数のＬＥＤランプで構成され、一端が前記第１のランプ回路の他端に接続された第２のランプ回路と、１つのＬＥＤランプ又は直列に接続された複数のＬＥＤランプで構成され、一端が前記第２のランプ回路の他端に接続され、他端が前記第２の外部端子に接続された第３のランプ回路と、第１の基準ノードと、前記第１の外部端子に接続された第１の接点との間、又は、前記第１の基準ノードと、前記第１のランプ回路の他端に接続された第２の接点との間の何れか一つのみを導通する第１のスイッチ回路と、前記第１のランプ回路の他端に接続された第２の基準ノードと、前記第１の基準ノードに接続された第３の接点との間、又は、前記第２の基準ノードと第４の接点との間の何れか一つのみを導通する第２のスイッチ回路と、前記第１の基準ノードに接続された第３の基準ノードと、前記第２の外部端子に接続された第５の接点との間、前記第３の基準ノードと、第６の接点との間、又は、前記第３の基準ノードと、前記第２のランプ回路の他端に接続された第７の接点との間の何れか一つのみを導通する第３のスイッチ回路と、カソードが第２のランプ回路の他端に接続され、アノードが前記第４の接点に接続されたダイオードと、一端が前記第４の接点に接続され、他端が前記第２の外部端子に接続されたスイッチ素子と、前記第４の接点と前記第２の外部端子との間の電位差に応じて、前記スイッチ素子を制御するスイッチ制御回路と、を備えるＬＥＤランプ点灯装置の制御方法であって、
前記第４の接点と前記第２の外部端子との間の電位差の大きさが、予め設定された基準電圧以上の場合には、前記スイッチ素子をオンし、
前記第４の接点と前記第２の外部端子との間の電位差の大きさが、前記基準電圧未満の場合には、前記スイッチ素子をオフする
ことを特徴とする。【００１８】
本発明の一態様に係るＬＥＤ ランプ点灯装置は、ランプ駆動電源の低電位側の第１の電源端子と高電位側の第２の電源端子との間に接続され、ランプ駆動電源から駆動電流の供給を受け、駆動電流により直列に接続された複数のＬＥＤランプを点灯する。ＬＥＤランプ点灯装置は、第１の電源端子に接続される第１の外部端子と、第２の電源端子に接続される第２の外部端子と、１つのＬＥＤランプ又は直列に接続された複数のＬＥＤランプで構成され、一端が第１の外部端子に接続された第１のランプ回路と、１つのＬＥＤランプ又は直列に接続された複数のＬＥＤランプで構成され、一端が第１のランプ回路の他端に接続された第２のランプ回路と、１つのＬＥＤランプ又は直列に接続された複数のＬＥＤランプで構成され、一端が第２のランプ回路の他端に接続され、他端が第２の外部端子に接続された第３のランプ回路と、第１の基準ノードと、第１の外部端子に接続された第１の接点との間、又は、第１の基準ノードと、第１のランプ回路の他端に接続された第２の接点との間の何れか一つのみを導通する第１のスイッチ回路と、第１のランプ回路の他端に接続された第２の基準ノードと、第１の基準ノードに接続された第３の接点との間、又は、第２の基準ノードと第４の接点との間の何れか一つのみを導通する第２のスイッチ回路と、第１の基準ノードに接続された第３の基準ノードと、第２の外部端子に接続された第５の接点との間、第３の基準ノードと、第６の接点との間、又は、第３の基準ノードと、第２のランプ回路の他端に接続された第７の接点との間の何れか一つのみを導通する第３のスイッチ回路と、カソードが第２のランプ回路の他端に接続され、アノードが第４の接点に接続されたダイオードと、一端が第４の接点に接続され、他端が第２の外部端子に接続されたスイッチ素子と、第４の接点と第２の外部端子との間の電位差に応じて、スイッチ素子を制御するスイッチ制御回路と、を備える。【００１９】
そして、スイッチ制御回路は、第４の接点と第２の外部端子との間の電位差の大きさが、予め設定された基準電圧以上の場合には、スイッチ素子をオンし、第４の接点と第２の外部端子との間の電位差の大きさが、基準電圧未満の場合には、スイッチ素子をオフする。【００２０】
これにより、本発明に係るＬＥＤ ランプ点灯装置は、従来の一般的なバルブランプ点灯装置と同等の動作が可能となる。
【図面の簡単な説明】
【００２１】
【図１】図１は、本発明の一態様である実施例１に係るＬＥＤランプ点灯装置の構成の一例を示す回路図である。
【図２】図２は、一般的なバルブランプ点灯装置の各スイッチのオン／オフと、各バルブランプの点灯との関係を示す図である。
【図３】図３は、図１に示す実施例１に係るランプ点灯装置１００の各スイッチのオン／オフと、各ＬＥＤランプの点灯との関係を示す図である。
【図４】図４は、図１に示す実施例１に係るランプ点灯装置１００のＬＥＤランプが故障していない通常動作時における動作の例を示す回路図である。
【図５】図５は、図１に示す実施例１に係るランプ点灯装置１００のＬＥＤランプが故障していない通常動作時における動作の例を示す回路図である。
【図６】図６は、図１に示す実施例１に係るランプ点灯装置１００のＬＥＤランプが故障していない通常動作時における動作の例を示す回路図である。
【図７】図７は、図１に示す実施例１に係るランプ点灯装置１００のＬＥＤランプが故障していない通常動作時における動作の例を示す回路図である。
【図８】図８は、図１に示す実施例１に係るランプ点灯装置１００のＬＥＤランプが故障していない通常動作時における動作の例を示す回路図である。
【図９】図９は、図１に示す実施例１に係るランプ点灯装置１００のＬＥＤランプが故障していない通常動作時における動作の例を示す回路図である。
【図１０】図１０は、図１に示す実施例１に係るランプ点灯装置１００のＬＥＤランプが故障していない通常動作時における動作の例を示す回路図である。
【図１１】図１１は、図１に示す実施例１に係るランプ点灯装置１００のＬＥＤランプが故障していない通常動作時における動作の例を示す回路図である。
【図１２】図１２は、図１に示す実施例１に係るランプ点灯装置１００のＬＥＤランプが故障していない通常動作時における動作の例を示す回路図である。
【図１３】図１３は、図１に示す実施例１に係るランプ点灯装置１００のＬＥＤランプが故障していない通常動作時における動作の例を示す回路図である。
【図１４】図１４は、図１に示す実施例１に係るランプ点灯装置１００のＬＥＤランプが故障していない通常動作時における動作の例を示す回路図である。
【図１５】図１５は、図１に示す実施例１に係るランプ点灯装置１００のＬＥＤランプが故障していない通常動作時における動作の例を示す回路図である。
【図１６】図１６は、一般的なバルブランプ点灯装置の各スイッチのオン／オフと、ポジションランプＰｏが故障している場合における各バルブランプの点灯との関係を示す図である。
【図１７】図１７は、図１に示す実施例１に係るランプ点灯装置１００の各スイッチのオン／オフと、ポジションランプＰｏが故障している場合における各ＬＥＤランプの点灯との関係を示す図である。
【図１８】図１８は、図１に示す実施例１に係るランプ点灯装置１００のポジションランプＰｏが故障している場合における動作の例を示す回路図である。
【図１９】図１９は、図１に示す実施例１に係るランプ点灯装置１００のポジションランプＰｏが故障している場合における動作の例を示す回路図である。
【図２０】図２０は、図１に示す実施例１に係るランプ点灯装置１００のポジションランプＰｏが故障している場合における動作の例を示す回路図である。
【図２１】図２１は、図１に示す実施例１に係るランプ点灯装置１００のポジションランプＰｏが故障している場合における動作の例を示す回路図である。
【図２２】図２２は、図１に示す実施例１に係るランプ点灯装置１００のポジションランプＰｏが故障している場合における動作の例を示す回路図である。
【図２３】図２３は、図１に示す実施例１に係るランプ点灯装置１００のポジションランプＰｏが故障している場合における動作の例を示す回路図である。
【図２４】図２４は、図１に示す実施例１に係るランプ点灯装置１００のポジションランプＰｏが故障している場合における動作の例を示す回路図である。
【図２５】図２５は、図１に示す実施例１に係るランプ点灯装置１００のポジションランプＰｏが故障している場合における動作の例を示す回路図である。
【図２６】図２６は、図１に示す実施例１に係るランプ点灯装置１００のポジションランプＰｏが故障している場合における動作の例を示す回路図である。
【図２７】図２７は、図１に示す実施例１に係るランプ点灯装置１００のポジションランプＰｏが故障している場合における動作の例を示す回路図である。
【図２８】図２８は、図１に示す実施例１に係るランプ点灯装置１００のポジションランプＰｏが故障している場合における動作の例を示す回路図である。
【図２９】図２９は、図１に示す実施例１に係るランプ点灯装置１００のポジションランプＰｏが故障している場合における動作の例を示す回路図である。
【図３０】図３０は、一般的なバルブランプ点灯装置の各スイッチのオン／オフと、ロービーム用ランプＬｏが故障している場合における各バルブランプの点灯との関係を示す図である。
【図３１】図３１は、図１に示す実施例１に係るランプ点灯装置１００の各スイッチのオン／オフと、ロービーム用ランプＬｏが故障している場合における各ＬＥＤランプの点灯との関係を示す図である。
【図３２】図３２は、図１に示す実施例１に係るランプ点灯装置１００のロービーム用ランプＬｏが故障している場合における動作の例を示す回路図である。
【図３３】図３３は、図１に示す実施例１に係るランプ点灯装置１００のロービーム用ランプＬｏが故障している場合における動作の例を示す回路図である。
【図３４】図３４は、図１に示す実施例１に係るランプ点灯装置１００のロービーム用ランプＬｏが故障している場合における動作の例を示す回路図である。
【図３５】図３５は、図１に示す実施例１に係るランプ点灯装置１００のロービーム用ランプＬｏが故障している場合における動作の例を示す回路図である。
【図３６】図３６は、図１に示す実施例１に係るランプ点灯装置１００のロービーム用ランプＬｏが故障している場合における動作の例を示す回路図である。
【図３７】図３７は、図１に示す実施例１に係るランプ点灯装置１００のロービーム用ランプＬｏが故障している場合における動作の例を示す回路図である。
【図３８】図３８は、図１に示す実施例１に係るランプ点灯装置１００のロービーム用ランプＬｏが故障している場合における動作の例を示す回路図である。
【図３９】図３９は、図１に示す実施例１に係るランプ点灯装置１００のロービーム用ランプＬｏが故障している場合における動作の例を示す回路図である。
【図４０】図４０は、図１に示す実施例１に係るランプ点灯装置１００のロービーム用ランプＬｏが故障している場合における動作の例を示す回路図である。
【図４１】図４１は、図１に示す実施例１に係るランプ点灯装置１００のロービーム用ランプＬｏが故障している場合における動作の例を示す回路図である。
【図４２】図４２は、図１に示す実施例１に係るランプ点灯装置１００のロービーム用ランプＬｏが故障している場合における動作の例を示す回路図である。
【図４３】図４３は、図１に示す実施例１に係るランプ点灯装置１００のロービーム用ランプＬｏが故障している場合における動作の例を示す回路図である。
【図４４】図４４は、一般的なバルブランプ点灯装置の各スイッチのオン／オフと、ハイビーム用ランプＨｉが故障している場合における各バルブランプの点灯との関係を示す図である。
【図４５】図４５は、図１に示す実施例１に係るランプ点灯装置１００の各スイッチのオン／オフと、ハイビーム用ランプＨｉが故障している場合における各ＬＥＤランプの点灯との関係を示す図である。
【図４６】図４６は、図１に示す実施例１に係るランプ点灯装置１００のハイビーム用ランプＨｉが故障している場合における動作の例を示す回路図である。
【図４７】図４７は、図１に示す実施例１に係るランプ点灯装置１００のハイビーム用ランプＨｉが故障している場合における動作の例を示す回路図である。
【図４８】図４８は、図１に示す実施例１に係るランプ点灯装置１００のハイビーム用ランプＨｉが故障している場合における動作の例を示す回路図である。
【図４９】図４９は、図１に示す実施例１に係るランプ点灯装置１００のハイビーム用ランプＨｉが故障している場合における動作の例を示す回路図である。
【図５０】図５０は、図１に示す実施例１に係るランプ点灯装置１００のハイビーム用ランプＨｉが故障している場合における動作の例を示す回路図である。
【図５１】図５１は、図１に示す実施例１に係るランプ点灯装置１００のハイビーム用ランプＨｉが故障している場合における動作の例を示す回路図である。
【図５２】図５２は、図１に示す実施例１に係るランプ点灯装置１００のハイビーム用ランプＨｉが故障している場合における動作の例を示す回路図である。
【図５３】図５３は、図１に示す実施例１に係るランプ点灯装置１００のハイビーム用ランプＨｉが故障している場合における動作の例を示す回路図である。
【図５４】図５４は、図１に示す実施例１に係るランプ点灯装置１００のハイビーム用ランプＨｉが故障している場合における動作の例を示す回路図である。
【図５５】図５５は、図１に示す実施例１に係るランプ点灯装置１００のハイビーム用ランプＨｉが故障している場合における動作の例を示す回路図である。
【図５６】図５６は、図１に示す実施例１に係るランプ点灯装置１００のハイビーム用ランプＨｉが故障している場合における動作の例を示す回路図である。
【図５７】図５７は、図１に示す実施例１に係るランプ点灯装置１００のハイビーム用ランプＨｉが故障している場合における動作の例を示す回路図である。
【発明を実施するための形態】
【００２２】
以下、本発明に係る各実施例について図面に基づいて説明する。
【実施例１】
【００２３】
図１は、本発明の一態様である実施例１に係るＬＥＤランプ点灯装置の構成の一例を示す回路図である。この図１に示す例は、例えば、車両のヘッドランプの例である。【００２４】
図１に示すように、ＬＥＤランプ点灯装置１００には、ランプ駆動電源１０が接続される。このランプ駆動電源１０には、交流発電機Ｇが接続される。【００２５】
ここで、交流発電機Ｇは、単相交流発電機であり、例えば、車両等のエンジンに連動して回転することにより、交流で発電するようになっている。【００２６】
この交流発電機Ｇの一端Ｇ１は、ランプ駆動電源１０の第１の入力端子ＴＩ１に接続され、他端Ｇ２は接地されている。交流発電機Ｇは、発電した交流電圧ＶＡをランプ駆動電源１０に出力するようになっている。【００２７】
そして、ランプ駆動電源１０の負電圧側（低電位側）の第１の電源端子ＴＳ１は、ＬＥＤランプ点灯装置１００の外部端子Ｔａ１に接続され、ランプ駆動電源１０の正電圧側（高電位側）の第２の電源端子ＴＳ２は、ＬＥＤランプ点灯装置１００の外部端子Ｔａ２に接続される。そして、このランプ駆動電源１０は、ＬＥＤランプの駆動電流をＬＥＤランプ点灯装置１００に供給するようになっている。【００２８】
すなわち、ＬＥＤランプ点灯装置１００は、ランプ駆動電源１０の低電位側の第１の電源端子ＴＳ１と高電位側の第２の電源端子ＴＳ２との間に接続され、ランプ駆動電源１０から駆動電流の供給を受け、該駆動電流により直列に接続された複数のＬＥＤランプを点灯するようになっている。【００２９】
このＬＥＤランプ点灯装置１００は、例えば、図１に示すように、第１の外部端子Ｔａ１と、第２の外部端子Ｔａ２と、第１のランプ回路Ｌ１と、第２のランプ回路Ｌ２と、第３のランプ回路Ｌ３と、第１のスイッチ回路ＳＷ１と、第２のスイッチ回路ＳＷ２と、第３のスイッチ回路ＳＷ３と、スイッチ素子ＳＣＲと、ダイオードＤと、スイッチ制御回路Ｃ１と、を備える。【００３０】
第１の外部端子Ｔａ１は、第１の電源端子ＴＳ１に接続されるようになっている。【００３１】
第２の外部端子Ｔａ２は、第２の電源端子ＴＳ２に接続されるようになっている。【００３２】
第１のランプ回路Ｌ１は、１つのＬＥＤランプ又は直列に接続された複数のＬＥＤランプで構成され、一端が第１の外部端子Ｔａ１に接続されている。図１の例では、第１のランプ回路Ｌ１は、２つのＬＥＤランプが直列に接続されて構成されている。【００３３】
なお、図１に示すように、第１のランプ回路Ｌ１の一端は、第１のランプ回路Ｌ１のＬＥＤランプのカソード側である。また、第１のランプ回路Ｌ１の他端は、第１のランプ回路Ｌ１のＬＥＤランプのアノード側である。【００３４】
この第１のランプ回路Ｌ１のＬＥＤランプは、例えば、車両のヘッドランプのハイビーム用ランプ(例えば、走行用前照灯)Ｈｉである。【００３５】
第２のランプ回路Ｌ２は、１つのＬＥＤランプ又は直列に接続された複数のＬＥＤランプで構成され、一端が第１のランプ回路Ｌ１の他端に接続されている。図１の例では、第２のランプ回路Ｌ２は、２つのＬＥＤランプが直列に接続されて構成されている。【００３６】
なお、図１に示すように、第２のランプ回路Ｌ２の一端は、第２のランプ回路Ｌ２のＬＥＤランプのカソード側である。また、第２のランプ回路Ｌ２の他端は、第２のランプ回路Ｌ２のＬＥＤランプのアノード側である。【００３７】
この第２のランプ回路Ｌ２のＬＥＤランプは、例えば、該ヘッドランプのロービーム用ランプ(例えば、すれ違い用前照灯)Ｌｏである。【００３８】
第３のランプ回路Ｌ３は、１つのＬＥＤランプ又は直列に接続された複数のＬＥＤランプで構成され、一端が第２のランプ回路Ｌ２の他端に接続され、他端が第２の外部端子Ｔａ２に接続されている。図１の例では、第３のランプ回路Ｌ３は、１つのＬＥＤランプで構成されている。【００３９】
なお、図１に示すように、第３のランプ回路Ｌ３の一端は、第３のランプ回路Ｌ３のＬＥＤランプのカソード側である。また、第３のランプ回路Ｌ３の他端は、第３のランプ回路Ｌ３のＬＥＤランプのアノード側である。【００４０】
この第３のランプ回路Ｌ３のＬＥＤランプは、例えば、該車両のポジションランプＰｏである。【００４１】
また、第１のスイッチ回路ＳＷ１は、第１の基準ノードＮＢ１と、第１の外部端子Ｔａ１に接続された第１の接点ＮＳ１との間、又は、第１の基準ノードＮＢ１と、第１のランプ回路Ｌ１の他端に接続された第２の接点ＮＳ２との間の何れか一つのみを導通するようになっている。【００４２】
この第１のスイッチ回路ＳＷ１は、既述の車両のヘッドランプのハイランプを点灯（パッシング）させるためのスイッチである。【００４３】
第２のスイッチ回路ＳＷ２は、第１のランプ回路Ｌ１の他端に接続された第２の基準ノードＮＢ２と、第１の基準ノードＮＢ１に接続された第３の接点ＮＳ３との間、又は、第２の基準ノードＮＢ２と第４の接点ＮＳ４との間の何れか一つのみを導通するようになっている。【００４４】
この第２のスイッチ回路ＳＷ２は、既述の車両のヘッドランプのハイビームとロービームとを切り替えるためのスイッチである。【００４５】
第３のスイッチ回路ＳＷ３は、第１の基準ノードＮＢ１に接続された第３の基準ノードＮＢ３と、第２の外部端子Ｔａ２に接続された第５の接点ＮＳ５との間、第３の基準ノードＮＢ３と、第６の接点ＮＳ６との間、又は、第３の基準ノードＮＢ３と、第２のランプ回路Ｌ２の他端に接続された第７の接点ＮＳ７との間の何れか一つのみを導通するようになっている。【００４６】
この第３のスイッチ回路ＳＷ３は、既述の車両のポジションランプの点灯、各ランプの点灯又は消灯を制御するためのスイッチである。【００４７】
なお、上記第１のスイッチ回路ＳＷ１、第２のスイッチ回路ＳＷ２、および、第３のスイッチ回路ＳＷ３は、使用者により手動で制御されるようになっている。【００４８】
また、ダイオードＤは、カソードが第２のランプ回路Ｌ２の他端に接続され、アノードが第４の接点ＮＳ４に接続されている。【００４９】
スイッチ素子ＳＣＲは、一端が第４の接点ＮＳ４に接続され、他端が第２の外部端子Ｔａ２に接続されている。このスイッチ素子ＳＣＲは、図１に示すように、カソードが第４の接点ＮＳ４に接続され、アノードが第２の外部端子Ｔａ２に接続されたサイリスタである。【００５０】
スイッチ制御回路Ｃ１は、第４の接点ＮＳ４と第２の外部端子Ｔａ２との間の電位差に応じて、スイッチ素子ＳＣＲを制御するようになっている。【００５１】
例えば、スイッチ制御回路Ｃ１は、第４の接点ＮＳ４（スイッチ素子ＳＣＲの一端（カソード））と第２の外部端子Ｔａ２との間の電位差の大きさ（絶対値）が、予め設定された基準電圧以上の場合には、スイッチ素子ＳＣＲをオンするようになっている。なお、該基準電圧は、その値の大きさ（絶対値）で比較される（以下同様）。【００５２】
一方、スイッチ制御回路Ｃ１は、第４の接点ＮＳ４（スイッチ素子ＳＣＲの一端（カソード））と第２の外部端子Ｔａ２との間の電位差の大きさ（絶対値）が、該基準電圧未満の場合には、スイッチ素子ＳＣＲをオフするようになっている。【００５３】
このスイッチ制御回路Ｃ１は、図１に示すように、例えば、第１の抵抗Ｒ１と、第２の抵抗Ｒ２と、ツェナーダイオードＺｅと、を有する。  
第１の抵抗Ｒ１は、一端が第４の接点ＮＳ４に接続され、他端がサイリスタ（スイッチ素子）ＳＣＲのゲートに接続されている。【００５４】
第２の抵抗Ｒ２は、一端が第１の抵抗Ｒ１の他端に接続されている。【００５５】
ツェナーダイオードＺｅは、アノードが第２の抵抗Ｒ２の他端に接続され、カソードが第２の外部端子Ｔａ２に接続されている。【００５６】
このスイッチ制御回路Ｃ１は、第１の抵抗Ｒ１と、第２の抵抗Ｒ２と、ツェナーダイオードＺｅとにより、第４の接点ＮＳ４の電圧を監視するように構成されている。【００５７】
つまり、第４の接点と第２の外部端子Ｔａ２との間の電位差（絶対値）が、該基準電圧よりも大きくなった場合に、ツェナーダイオードＺｅが導通し、第２の抵抗Ｒ２に電流が流れるように構成されている。【００５８】
そして、ツェナーダイオードＺｅが導通し、第２の抵抗Ｒ２に電流が流れることにより、スイッチ素子（サイリスタ）ＳＣＲのアノードとゲートとの間に電圧が発生する。この電圧によりスイッチ素子ＳＣＲのゲートにゲート電流が流れて、スイッチ素子ＳＣＲがターンオンする。【００５９】
なお、該基準電圧は、第１の抵抗Ｒ１と第２の抵抗Ｒ２の抵抗値と、ツェナーダイオードＺｅの降伏電圧により、所望の値に設定することができる。【００６０】
ここで、既述のランプ駆動電源１０は、図１に示すように、例えば、第１の入力端子ＴＩ１と、第２の入力端子ＴＩ２と、第１の電源端子ＴＳ１と、第２の電源端子ＴＳ２と、電源用スイッチ素子Ｘと、コンデンサＣＸと、検出抵抗ＲＸと、駆動制御回路ＣＯＮと、を有する。【００６１】
第１の入力端子ＴＩ１は、交流発電機Ｇの一端Ｇ１に接続されている。【００６２】
第２の入力端子ＴＩ２は、交流発電機Ｇの他端Ｇ２に接地を介して接続されている。【００６３】
電源用スイッチ素子Ｘは、一端が第１の入力端子ＴＩ１に接続され、他端が第１の電源端子ＴＳ１に接続されている。【００６４】
この電源用スイッチ素子Ｘは、図１に示すように、例えば、カソードが第１の入力端子ＴＩ１に接続され、アノードが第１の電源端子ＴＳ１に接続され、ゲートに駆動制御回路ＣＯＮから制御信号が入力されるサイリスタである。【００６５】
コンデンサＣＸは、一端が電源用スイッチ素子Ｘの他端に接続され、他端が第２の入力端子ＴＩ２に接続されている。このコンデンサＣＸは、平滑用コンデンサ(電解コンデンサ)である。【００６６】
検出抵抗ＲＸは、一端が第２の入力端子ＴＩ２に接続され、他端が第２の電源端子ＴＳ２に接続されている。【００６７】
駆動制御回路ＣＯＮは、検出抵抗ＲＸに電流が流れる場合には、検出抵抗ＲＸに流れる電流が一定になるように電源用スイッチ素子Ｘを制御するようになっている。【００６８】
これにより、電源用スイッチ素子（サイリスタ）Ｘは、交流発電機Ｇが出力する交流電圧ＶＡの負相側の電圧を、駆動制御回路ＣＯＮの制御に基づき半波整流し、ＬＥＤランプ点灯装置１００に駆動電流が供給される。また、電源用スイッチ素子（サイリスタ）Ｘは、導通期間中にコンデンサＣＸを充電する。このコンデンサＣＸは、電源用スイッチ素子（サイリスタ）Ｘの非導通期間において、ＬＥＤランプ点灯装置１００に電流を供給するための整流平滑用コンデンサとなる。【００６９】
すなわち、駆動制御回路ＣＯＮは、ＬＥＤランプ点灯装置１００に流れる電流の実効値又は平均値が一定になるように、電源用スイッチ素子（サイリスタ）Ｘの導通タイミング(点弧位相)を制御する。【００７０】
一方、駆動制御回路ＣＯＮは、検出抵抗ＲＸに電流が流れない場合には、第１の電源端子ＴＳ１と第２の電源端子ＴＳ２との間の電位差が予め設定された規定電圧になるように、電源用スイッチ素子Ｘを制御するようになっている。【００７１】
以上のように、ランプ駆動電源１０は、定電圧制御機能と定電流制御機能を有して構成されている。【００７２】
すなわち、ランプ駆動電源１０は、第１のランプ回路Ｌ１、第２のランプ回路Ｌ２、および第３のランプ回路Ｌ３中の何れかのＬＥＤランプに電流を流せる場合には、該定電流制御機能により、ＬＥＤランプに定電流を流す（第２の電源端子ＴＳ２から一定の電流を出力する）。【００７３】
なお、ここでは、ＬＥＤランプに電流を流せる場合とは、ＬＥＤランプが故障していない（導通している）場合である。【００７４】
一方、ランプ駆動電源１０は、第１のランプ回路Ｌ１、第２のランプ回路Ｌ２、および第３のランプ回路Ｌ３中の何れのＬＥＤランプにも電流を流せない（故障している）場合には、該定電圧制御機能により、第１の電源端子ＴＳ１と第２の電源端子ＴＳ２との間に出力する出力電圧を、予め設定された規定電圧まで上昇させて一定の電圧にする。【００７５】
なお、ここでは、ＬＥＤランプに電流を流せない場合とは、ＬＥＤランプが故障している（断線している）場合であり、負荷オープン状態である。【００７６】
ここで、以上のような構成を有するＬＥＤランプ点灯装置１００の動作について説明する。【００７７】
先ず、ランプ点灯装置１００のＬＥＤランプが故障していない通常動作時における動作について説明する。【００７８】
図２は、一般的なバルブランプ点灯装置の各スイッチのオン／オフと、各バルブランプの点灯との関係を示す図である。また、図３は、図１に示す実施例１に係るランプ点灯装置１００の各スイッチのオン／オフと、各ＬＥＤランプの点灯との関係を示す図である。また、図４から図１５は、図１に示す実施例１に係るランプ点灯装置１００のＬＥＤランプが故障していない通常動作時における動作の例を示す回路図である。【００７９】
例えば、図４の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第５の接点ＮＳ５との間を導通している。【００８０】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【００８１】
これにより、ランプ駆動電源１０から供給される電流ｉが、「第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図３）。【００８２】
次に、図５の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第５の接点ＮＳ５との間を導通している。【００８３】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【００８４】
これにより、ランプ駆動電源１０から供給される電流ｉが、「第３のスイッチ回路ＳＷ３→第２のスイッチ回路ＳＷ２→第１のランプ回路Ｌ１」の経路で流れる。これにより、ハイビーム用ランプＨｉの合計２灯が点灯する（図３）。【００８５】
次に、図６の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第５の接点ＮＳ５との間を導通している。【００８６】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【００８７】
これにより、ランプ駆動電源１０から供給される電流ｉが、「第３のスイッチ回路ＳＷ３→第１のランプ回路Ｌ１」の経路で流れる。すなわち、第１の外部端子Ｔａ１と第２の外部端子Ｔａ２との間が短絡される。これにより、第１から第３のランプ回路Ｌ１〜Ｌ３は消灯する（図３）。【００８８】
次に、図７の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第５の接点ＮＳ５との間を導通している。【００８９】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【００９０】
これにより、ランプ駆動電源１０から供給される電流ｉが、「第３のスイッチ回路ＳＷ３→第１のスイッチ回路ＳＷ１→第１のランプ回路Ｌ１」の経路で流れる。これにより、ハイビーム用ランプＨｉの合計２灯が点灯する（図３）。【００９１】
次に、図８の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第７の接点ＮＳ７との間を導通している。【００９２】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【００９３】
これにより、ランプ駆動電源１０から供給される電流ｉが、「第３のランプ回路Ｌ３→第３のスイッチ回路ＳＷ３→第１のスイッチ回路ＳＷ１」の経路で流れる。これにより、ポジションランプＰｏの合計１灯が点灯する（図３）。【００９４】
次に、図９の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第７の接点ＮＳ７との間を導通している。【００９５】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【００９６】
これにより、ランプ駆動電源１０から供給される電流ｉが、「第３のランプ回路Ｌ３→第３のスイッチ回路ＳＷ３→第２のスイッチ回路ＳＷ２→第１のランプ回路Ｌ１」の経路で流れる。これにより、ハイビーム用ランプＨｉおよびポジションランプＰｏの合計３灯が点灯する（図３）。【００９７】
次に、図１０の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第７の接点ＮＳ７との間を導通している。【００９８】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【００９９】
これにより、ランプ駆動電源１０から供給される電流ｉが、「第３のランプ回路Ｌ３→第３のスイッチ回路ＳＷ３→第１のランプ回路Ｌ１」の経路で流れる。これにより、ポジションランプＰｏの合計１灯が点灯する（図３）。【０１００】
次に、図１１の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第７の接点ＮＳ７との間を導通している。【０１０１】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０１０２】
これにより、ランプ駆動電源１０から供給される電流ｉが、「第３のランプ回路Ｌ３→第３のスイッチ回路ＳＷ３→第１のスイッチ回路ＳＷ１→第１のランプ回路Ｌ１」の経路で流れる。これにより、ハイビーム用ランプＨｉおよびポジションランプＰｏの合計３灯が点灯する（図３）。【０１０３】
次に、図１２の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第６の接点ＮＳ６との間を導通している。【０１０４】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１０５】
これにより、ランプ駆動電源１０から供給される電流ｉが、「第３のランプ回路Ｌ３→第２のランプ回路Ｌ２→第２のスイッチ回路ＳＷ２→第１のスイッチ回路ＳＷ１」の経路で流れる。これにより、ロービーム用ランプＬｏおよびポジションランプＰｏの合計３灯が点灯する（図３）。【０１０６】
次に、図１３の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第３の接点ＮＳ３との間を導通している。第３のスイッチ回路ＳＷ３は、第３の基準ノードＮＢ３と第６の接点ＮＳ６との間を導通している。【０１０７】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１０８】
これにより、ランプ駆動電源１０から供給される電流ｉが、「第３のランプ回路Ｌ３→第２のランプ回路Ｌ２→第１のランプ回路Ｌ１」の経路で流れる。これにより、ハイビーム用ランプＨｉ、ロービーム用ランプＬｏおよびポジションランプＰｏの全灯が点灯する（図３）。【０１０９】
次に、図１４の例では、第１のスイッチ回路ＳＷ１は、第１の基準ノードＮＢ１と第１の接点ＮＳ１との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第６の接点ＮＳ６との間を導通している。【０１１０】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０１１１】
これにより、ランプ駆動電源１０から供給される電流ｉが、「第３のランプ回路Ｌ３→第２のランプ回路Ｌ２→第１のランプ回路Ｌ１」の経路で流れる。これにより、ハイビーム用ランプＨｉ、ロービーム用ランプＬｏおよびポジションランプＰｏの全灯が点灯する（図３）。【０１１２】
ここで、ＬＥＤランプ点灯装置１００において、第１の外部端子Ｔａ１と第２の外部端子Ｔａ２との間が短絡されることにより、第１のランプ回路Ｌ１、第２のランプ回路Ｌ２、および、第３のランプ回路Ｌ３が消灯する（例えば、ライティングをＯＦＦした図６の状態）。そして、例えば、第３のスイッチ回路ＳＷ３を切り替えてライティングをＯＦＦ（例えば、図６の状態）からＯＮ（例えば、図１４の状態）にする。この場合、第１の外部端子Ｔａ１と第２の外部端子Ｔａ２との間が短絡された状態から、第１のランプ回路Ｌ１、第２のランプ回路Ｌ２、および、第３のランプ回路Ｌ３に電流が流れて、第１の外部端子Ｔａ１と第２の外部端子Ｔａ２との間の電位差が徐々に大きくなる。これにより、ライティングをＯＦＦからＯＮにした場合のラッシュ電流を抑制できる。【０１１３】
次に、図１５の例では、第１のスイッチ回路ＳＷ１は、第１の基準ノードＮＢ１と第２の接点ＮＳ２との間を導通している。また、第２のスイッチ回路ＳＷ２は、第２の基準ノードＮＢ２と第４の接点ＮＳ４との間を導通している。第３のスイッチ回路ＳＷ３は、第３の基準ノードＮＢ３と第６の接点ＮＳ６との間を導通している。【０１１４】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０１１５】
これにより、ランプ駆動電源１０から供給される電流ｉが、「第３のランプ回路Ｌ３→第２のランプ回路Ｌ２→第１のランプ回路Ｌ１」の経路で流れる。これにより、ハイビーム用ランプＨｉ、ロービーム用ランプＬｏおよびポジションランプＰｏの全灯が点灯する（図３）。【０１１６】
なお、上記図４から図１５に示す通常動作時の場合においては、スイッチ制御回路Ｃ１は動作せず、このスイッチ制御回路Ｃ１が、電流ｉに影響を与えることはない。【０１１７】
以上のように、実施例１に係るランプ点灯装置１００のＬＥＤランプが故障していない通常動作時における動作（図３）は、ハイビーム用ランプＨｉが選択され且つライティングをＯＮする場合の点灯状態が異なる以外は、図２に示す一般的なバルブランプ点灯装置の動作と同等になる。【０１１８】
次に、ランプ点灯装置１００のポジションランプＰｏが故障している場合における動作について説明する。【０１１９】
図１６は、一般的なバルブランプ点灯装置の各スイッチのオン／オフと、ポジションランプＰｏが故障している場合における各バルブランプの点灯との関係を示す図である。また、図１７は、図１に示す実施例１に係るランプ点灯装置１００の各スイッチのオン／オフと、ポジションランプＰｏが故障している場合における各ＬＥＤランプの点灯との関係を示す図である。また、図１８から図２９は、図１に示す実施例１に係るランプ点灯装置１００のポジションランプＰｏが故障している場合における動作の例を示す回路図である。【０１２０】
例えば、図１８の例では、第１から第３のスイッチ回路ＳＷ１〜ＳＷ３の状態は、既述の図４に示す状態と同様である。【０１２１】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０１２２】
これにより、ランプ駆動電源１０から供給される電流ｉが、「第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図１７）。【０１２３】
次に、図１９の例では、第１から第３のスイッチ回路ＳＷ１〜ＳＷ３の状態は、既述の図５に示す状態と同様である。【０１２４】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０１２５】
これにより、ランプ駆動電源１０から供給される電流ｉが、「第３のスイッチ回路ＳＷ３→第２のスイッチ回路ＳＷ２→第１のランプ回路Ｌ１」の経路で流れる。これにより、ハイビーム用ランプＨｉの合計２灯が点灯する（図１７）。【０１２６】
次に、図２０の例では、第１から第３のスイッチ回路ＳＷ１〜ＳＷ３の状態は、既述の図６に示す状態と同様である。【０１２７】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０１２８】
これにより、ランプ駆動電源１０から供給される電流ｉが、「第３のスイッチ回路ＳＷ３→第１のランプ回路Ｌ１」の経路で流れる。すなわち、第１の外部端子Ｔａ１と第２の外部端子Ｔａ２との間が短絡される。これにより、第１から第３のランプ回路Ｌ１〜Ｌ３は消灯する（図１７）。【０１２９】
次に、図２１の例では、第１から第３のスイッチ回路ＳＷ１〜ＳＷ３の状態は、既述の図７に示す状態と同様である。【０１３０】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０１３１】
これにより、ランプ駆動電源１０から供給される電流ｉが、「第３のスイッチ回路ＳＷ３→第１のスイッチ回路ＳＷ１→第１のランプ回路Ｌ１」の経路で流れる。これにより、ハイビーム用ランプＨｉの合計２灯が点灯する（図１７）。【０１３２】
なお、上記図１８から図２１に示す場合においては、スイッチ制御回路Ｃ１は動作せず、このスイッチ制御回路Ｃ１が、電流ｉに影響を与えることはない。【０１３３】
次に、図２２の例では、第１から第３のスイッチ回路ＳＷ１〜ＳＷ３の状態は、既述の図８に示す状態と同様である。【０１３４】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０１３５】
ここで、上記各スイッチ回路ＳＷ１〜ＳＷ３の状態では、ポジションランプＰｏが故障しているため、電流ｉが流れない。しかし、このとき、既述のように、ランプ駆動電源１０は、該定電圧制御機能により、第１の電源端子ＴＳ１と第２の電源端子ＴＳ２との間に出力する出力電圧を、予め設定された規定電圧まで上昇させて一定の電圧に制限する。これにより、第４の接点ＮＳ４と第２の外部端子Ｔａ２との間の電位差の大きさが、該基準電圧以上になると、スイッチ制御回路Ｃ１は、スイッチ素子ＳＣＲをオンする。【０１３６】
これにより、ランプ駆動電源１０から供給される電流ｉが、「スイッチ素子ＳＣＲ→ダイオードＤ→第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図１７）。【０１３７】
次に、図２３の例では、第１から第３のスイッチ回路ＳＷ１〜ＳＷ３の状態は、既述の図９に示す状態と同様である。【０１３８】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０１３９】
そして、図２２で説明した既述の動作原理により、スイッチ制御回路Ｃ１は、スイッチ素子ＳＣＲをオンする。【０１４０】
これにより、ランプ駆動電源１０から供給される電流ｉが、「スイッチ素子ＳＣＲ→ダイオードＤ→第３のスイッチ回路ＳＷ３→第２のスイッチ回路ＳＷ２→第１のランプ回路Ｌ１」の経路で流れる。これにより、ハイビーム用ランプＨｉの合計２灯が点灯する（図１７）。【０１４１】
次に、図２４の例では、第１から第３のスイッチ回路ＳＷ１〜ＳＷ３の状態は、既述の図１０に示す状態と同様である。【０１４２】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０１４３】
そして、図２２で説明した既述の動作原理により、スイッチ制御回路Ｃ１は、スイッチ素子ＳＣＲをオンする。【０１４４】
これにより、ランプ駆動電源１０から供給される電流ｉが、「スイッチ素子ＳＣＲ→ダイオードＤ→第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図１７）。【０１４５】
次に、図２５の例では、第１から第３のスイッチ回路ＳＷ１〜ＳＷ３の状態は、既述の図１１に示す状態と同様である。【０１４６】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０１４７】
そして、図２２で説明した既述の動作原理により、スイッチ制御回路Ｃ１は、スイッチ素子ＳＣＲをオンする。【０１４８】
これにより、ランプ駆動電源１０から供給される電流ｉが、「スイッチ素子ＳＣＲ→第２のスイッチ回路ＳＷ２→第１のランプ回路Ｌ１」の経路で流れる。これにより、ハイビーム用ランプＨｉの合計２灯が点灯する（図１７）。【０１４９】
次に、図２６の例では、第１から第３のスイッチ回路ＳＷ１〜ＳＷ３の状態は、既述の図１２に示す状態と同様である。【０１５０】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１５１】
そして、図２２で説明した既述の動作原理により、スイッチ制御回路Ｃ１は、スイッチ素子ＳＣＲをオンする。【０１５２】
これにより、ランプ駆動電源１０から供給される電流ｉが、「スイッチ素子ＳＣＲ→ダイオードＤ→第２のランプ回路Ｌ２→第２のスイッチ回路ＳＷ２→第１のスイッチ回路ＳＷ１」の経路で流れる。これにより、ロービーム用ランプＬｏの合計２灯が点灯する（図１７）。【０１５３】
次に、図２７の例では、第１から第３のスイッチ回路ＳＷ１〜ＳＷ３の状態は、既述の図１３に示す状態と同様である。【０１５４】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１５５】
そして、図２２で説明した既述の動作原理により、スイッチ制御回路Ｃ１は、スイッチ素子ＳＣＲをオンする。【０１５６】
これにより、ランプ駆動電源１０から供給される電流ｉが、「スイッチ素子ＳＣＲ→ダイオードＤ→第２のランプ回路Ｌ２→第１のランプ回路Ｌ１」の経路で流れる。これにより、ハイビーム用ランプＨｉ、およびロービーム用ランプＬｏの合計４灯が点灯する（図１７）。【０１５７】
次に、図２８の例では、第１から第３のスイッチ回路ＳＷ１〜ＳＷ３の状態は、既述の図１４に示す状態と同様である。【０１５８】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０１５９】
そして、図２２で説明した既述の動作原理により、スイッチ制御回路Ｃ１は、スイッチ素子ＳＣＲをオンする。【０１６０】
これにより、ランプ駆動電源１０から供給される電流ｉが、「スイッチ素子ＳＣＲ→第２のスイッチ回路ＳＷ２→第１のランプ回路Ｌ１」の経路で流れる。これにより、ハイビーム用ランプＨｉの合計２灯が点灯する（図１７）。【０１６１】
次に、図２９の例では、第１から第３のスイッチ回路ＳＷ１〜ＳＷ３の状態は、既述の図１５に示す状態と同様である。【０１６２】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０１６３】
そして、図２２で説明した既述の動作原理により、スイッチ制御回路Ｃ１は、スイッチ素子ＳＣＲをオンする。【０１６４】
これにより、ランプ駆動電源１０から供給される電流ｉが、「スイッチ素子ＳＣＲ→第２のスイッチ回路ＳＷ２→第１のランプ回路Ｌ１」の経路で流れる。これにより、ハイビーム用ランプＨｉの合計２灯が点灯する（図１７）。【０１６５】
以上のように、実施例１に係るランプ点灯装置１００のポジションランプＰｏが故障している場合における動作（図１７）は、図１６に示す一般的なバルブランプ点灯装置のポジションランプＰｏが故障している場合における動作と同等になる。【０１６６】
次に、ランプ点灯装置１００のロービーム用ランプＬｏが故障している場合における動作について説明する。【０１６７】
図３０は、一般的なバルブランプ点灯装置の各スイッチのオン／オフと、ロービーム用ランプＬｏが故障している場合における各バルブランプの点灯との関係を示す図である。また、図３１は、図１に示す実施例１に係るランプ点灯装置１００の各スイッチのオン／オフと、ロービーム用ランプＬｏが故障している場合における各ＬＥＤランプの点灯との関係を示す図である。また、図３２から図４３は、図１に示す実施例１に係るランプ点灯装置１００のロービーム用ランプＬｏが故障している場合における動作の例を示す回路図である。【０１６８】
例えば、図３２の例では、第１から第３のスイッチ回路ＳＷ１〜ＳＷ３の状態は、既述の図４に示す状態と同様である。【０１６９】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０１７０】
これにより、ランプ駆動電源１０から供給される電流ｉが、「第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図３１）。【０１７１】
次に、図３３の例では、第１から第３のスイッチ回路ＳＷ１〜ＳＷ３の状態は、既述の図５に示す状態と同様である。【０１７２】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０１７３】
これにより、ランプ駆動電源１０から供給される電流ｉが、「第３のスイッチ回路ＳＷ３→第２のスイッチ回路ＳＷ２→第１のランプ回路Ｌ１」の経路で流れる。これにより、ハイビーム用ランプＨｉの合計２灯が点灯する（図３１）。【０１７４】
次に、図３４の例では、第１から第３のスイッチ回路ＳＷ１〜ＳＷ３の状態は、既述の図６に示す状態と同様である。【０１７５】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０１７６】
これにより、ランプ駆動電源１０から供給される電流ｉが、「第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図３１）。【０１７７】
次に、図３５の例では、第１から第３のスイッチ回路ＳＷ１〜ＳＷ３の状態は、既述の図７に示す状態と同様である。【０１７８】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０１７９】
これにより、ランプ駆動電源１０から供給される電流ｉが、「第３のスイッチ回路ＳＷ３→第１のスイッチ回路ＳＷ１→第１のランプ回路Ｌ１」の経路で流れる。これにより、ハイビーム用ランプＨｉの合計２灯が点灯する（図３１）。【０１８０】
次に、図３６の例では、第１から第３のスイッチ回路ＳＷ１〜ＳＷ３の状態は、既述の図８に示す状態と同様である。【０１８１】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０１８２】
これにより、ランプ駆動電源１０から供給される電流ｉが、「第３のランプ回路Ｌ３→第３のスイッチ回路ＳＷ３→第１のスイッチ回路ＳＷ１」の経路で流れる。これにより、ポジションランプＰｏの１灯が点灯する（図３１）。【０１８３】
次に、図３７の例では、第１から第３のスイッチ回路ＳＷ１〜ＳＷ３の状態は、既述の図９に示す状態と同様である。【０１８４】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０１８５】
これにより、ランプ駆動電源１０から供給される電流ｉが、「第３のランプ回路Ｌ３→第３のスイッチ回路ＳＷ３→第２のスイッチ回路ＳＷ２→第１のランプ回路Ｌ１」の経路で流れる。これにより、ポジションランプＰｏおよびハイビーム用ランプＨｉの合計３灯が点灯する（図３１）。【０１８６】
次に、図３８の例では、第１から第３のスイッチ回路ＳＷ１〜ＳＷ３の状態は、既述の図１０に示す状態と同様である。【０１８７】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０１８８】
これにより、ランプ駆動電源１０から供給される電流ｉが、「第３のランプ回路Ｌ３→第３のスイッチ回路ＳＷ３→第１のスイッチ回路ＳＷ１」の経路で流れる。これにより、ポジションランプＰｏの１灯が点灯する（図３１）。【０１８９】
次に、図３９の例では、第１から第３のスイッチ回路ＳＷ１〜ＳＷ３の状態は、既述の図１１に示す状態と同様である。【０１９０】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０１９１】
これにより、ランプ駆動電源１０から供給される電流ｉが、「第３のランプ回路Ｌ３→第３のスイッチ回路ＳＷ３→第１のスイッチ回路ＳＷ１→第１のランプ回路Ｌ１」の経路で流れる。これにより、ポジションランプＰｏおよびハイビーム用ランプＨｉの合計３灯が点灯する（図３１）。【０１９２】
次に、図４０の例では、第１から第３のスイッチ回路ＳＷ１〜ＳＷ３の状態は、既述の図１２に示す状態と同様である。【０１９３】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１９４】
ここで、上記各スイッチ回路ＳＷ１〜ＳＷ３の状態では、ロービーム用ランプＬｏが故障しているため、電流ｉが流れない。【０１９５】
これにより、第１から第３のランプ回路Ｌ１〜Ｌ３は消灯する。【０１９６】
次に、図４１の例では、第１から第３のスイッチ回路ＳＷ１〜ＳＷ３の状態は、既述の図１３に示す状態と同様である。【０１９７】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０１９８】
ここで、上記各スイッチ回路ＳＷ１〜ＳＷ３の状態では、ロービーム用ランプＬｏが故障しているため、電流ｉが流れない。【０１９９】
これにより、第１から第３のランプ回路Ｌ１〜Ｌ３は消灯する。【０２００】
なお、上記図３２から図４１に示す場合においては、スイッチ制御回路Ｃ１は動作せず、このスイッチ制御回路Ｃ１が、電流ｉに影響を与えることはない。【０２０１】
次に、図４２の例では、第１から第３のスイッチ回路ＳＷ１〜ＳＷ３の状態は、既述の図１４に示す状態と同様である。【０２０２】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０２０３】
ここで、上記各スイッチ回路ＳＷ１〜ＳＷ３の状態では、ロービーム用ランプＬｏが故障しているため、電流ｉが流れない。しかし、このとき、既述のように、ランプ駆動電源１０は、該定電圧制御機能により、第１の電源端子ＴＳ１と第２の電源端子ＴＳ２との間に出力する出力電圧を、予め設定された規定電圧まで上昇させて一定の電圧に制限する。これにより、第４の接点ＮＳ４と第２の外部端子Ｔａ２との間の電位差の大きさが、該基準電圧以上になると、スイッチ制御回路Ｃ１は、スイッチ素子ＳＣＲをオンする。【０２０４】
これにより、ランプ駆動電源１０から供給される電流ｉが、「スイッチ素子ＳＣＲ→第２のスイッチ回路ＳＷ２→第１のランプ回路Ｌ１」の経路で流れる。これにより、ハイビーム用ランプＨｉの合計２灯が点灯する（図３１）。【０２０５】
次に、図４３の例では、第１から第３のスイッチ回路ＳＷ１〜ＳＷ３の状態は、既述の図１５に示す状態と同様である。【０２０６】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０２０７】
そして、図４１で説明した既述の動作原理により、スイッチ制御回路Ｃ１は、スイッチ素子ＳＣＲをオンする。【０２０８】
これにより、ランプ駆動電源１０から供給される電流ｉが、「スイッチ素子ＳＣＲ→第２のスイッチ回路ＳＷ２→第１のランプ回路Ｌ１」の経路で流れる。これにより、ハイビーム用ランプＨｉの合計２灯が点灯する（図３１）。【０２０９】
以上のように、実施例１に係るランプ点灯装置１００のロービーム用ランプＬｏが故障している場合における動作（図３１）は、ロービーム用ランプＬｏが選択され且つライティングをＯＮする場合の点灯状態が異なる以外は、図３０に示す一般的なバルブランプ点灯装置のロービーム用ランプＬｏが故障している場合における動作と同等になる。【０２１０】
次に、ランプ点灯装置１００のハイビーム用ランプＨｉが故障している場合における動作について説明する。【０２１１】
図４４は、一般的なバルブランプ点灯装置の各スイッチのオン／オフと、ハイビーム用ランプＨｉが故障している場合における各バルブランプの点灯との関係を示す図である。また、図４５は、図１に示す実施例１に係るランプ点灯装置１００の各スイッチのオン／オフと、ハイビーム用ランプＨｉが故障している場合における各ＬＥＤランプの点灯との関係を示す図である。また、図４６から図５７は、図１に示す実施例１に係るランプ点灯装置１００のハイビーム用ランプＨｉが故障している場合における動作の例を示す回路図である。【０２１２】
例えば、図４６の例では、第１から第３のスイッチ回路ＳＷ１〜ＳＷ３の状態は、既述の図４に示す状態と同様である。【０２１３】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０２１４】
これにより、ランプ駆動電源１０から供給される電流ｉが、「第３のスイッチ回路ＳＷ３→第１のスイッチ回路ＳＷ１」の経路で流れる。すなわち、第１の外部端子Ｔａ１と第２の外部端子Ｔａ２との間が短絡される。これにより、第１から第３のランプ回路Ｌ１〜Ｌ３は消灯する（図４５）。【０２１５】
次に、図４７の例では、第１から第３のスイッチ回路ＳＷ１〜ＳＷ３の状態は、既述の図５に示す状態と同様である。【０２１６】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＦＦするように第３のスイッチ回路ＳＷ３が切り替えられている。【０２１７】
ここで、上記各スイッチ回路ＳＷ１〜ＳＷ３の状態では、ハイビーム用ランプＨｉが故障しているため、電流ｉが流れない。【０２１８】
これにより、第１から第３のランプ回路Ｌ１〜Ｌ３は消灯する（図４５）。【０２１９】
次に、図４８の例では、第１から第３のスイッチ回路ＳＷ１〜ＳＷ３の状態は、既述の図６に示す状態と同様である。【０２２０】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０２２１】
これにより、ランプ駆動電源１０から供給される電流ｉが、「第３のスイッチ回路ＳＷ３→第１のランプ回路Ｌ１」の経路で流れる。すなわち、第１の外部端子Ｔａ１と第２の外部端子Ｔａ２との間が短絡される。これにより、第１から第３のランプ回路Ｌ１〜Ｌ３は消灯する（図４５）。【０２２２】
次に、図４９の例では、第１から第３のスイッチ回路ＳＷ１〜ＳＷ３の状態は、既述の図７に示す状態と同様である。【０２２３】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＦＦするように第３のスイッチ回路ＳＷ３が切り替えられている。【０２２４】
ここで、上記各スイッチ回路ＳＷ１〜ＳＷ３の状態では、ハイビーム用ランプＨｉが故障しているため、電流ｉが流れない。【０２２５】
これにより、第１から第３のランプ回路Ｌ１〜Ｌ３は消灯する（図４５）。【０２２６】
次に、図５０の例では、第１から第３のスイッチ回路ＳＷ１〜ＳＷ３の状態は、既述の図８に示す状態と同様である。【０２２７】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０２２８】
これにより、ランプ駆動電源１０から供給される電流ｉが、「第３のランプ回路Ｌ３→第３のスイッチ回路ＳＷ３→第１のスイッチ回路ＳＷ１」の経路で流れる。これにより、ポジションランプＰｏの１灯が点灯する（図４５）。【０２２９】
次に、図５１の例では、第１から第３のスイッチ回路ＳＷ１〜ＳＷ３の状態は、既述の図９に示す状態と同様である。【０２３０】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ポジションランプＰｏが点灯するように第３のスイッチ回路ＳＷ３が切り替えられている。【０２３１】
ここで、上記各スイッチ回路ＳＷ１〜ＳＷ３の状態では、ハイビーム用ランプＨｉが故障しているため、電流ｉが流れない。【０２３２】
これにより、第１から第３のランプ回路Ｌ１〜Ｌ３は消灯する（図４５）。【０２３３】
次に、図５２の例では、第１から第３のスイッチ回路ＳＷ１〜ＳＷ３の状態は、既述の図１０に示す状態と同様である。【０２３４】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０２３５】
これにより、ランプ駆動電源１０から供給される電流ｉが、「第３のランプ回路Ｌ３→第３のスイッチ回路ＳＷ３→第２のスイッチ回路ＳＷ１」の経路で流れる。これにより、ポジションランプＰｏの１灯が点灯する（図４５）。【０２３６】
次に、図５３の例では、第１から第３のスイッチ回路ＳＷ１〜ＳＷ３の状態は、既述の図１１に示す状態と同様である。【０２３７】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ポジションランプＰｏが点灯するように第３のスイッチ回路ＳＷ３が切り替えられている。【０２３８】
ここで、上記各スイッチ回路ＳＷ１〜ＳＷ３の状態では、ハイビーム用ランプＨｉが故障しているため、電流ｉが流れない。【０２３９】
これにより、第１から第３のランプ回路Ｌ１〜Ｌ３は消灯する（図４５）。【０２４０】
次に、図５４の例では、第１から第３のスイッチ回路ＳＷ１〜ＳＷ３の状態は、既述の図１２に示す状態と同様である。【０２４１】
すなわち、使用者により、パッシングをＯＦＦするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０２４２】
これにより、ランプ駆動電源１０から供給される電流ｉが、「第３のランプ回路Ｌ３→第２のランプ回路Ｌ２→第２のスイッチ回路ＳＷ２→第１のスイッチ回路ＳＷ１」の経路で流れる。これにより、ポジションランプＰｏおよびロービーム用ランプＬｏの合計３灯が点灯する（図４５）。【０２４３】
次に、図５５の例では、第１から第３のスイッチ回路ＳＷ１〜ＳＷ３の状態は、既述の図１３に示す状態と同様である。【０２４４】
すなわち、使用者により、パッシングをＯＮするように第１のスイッチ回路ＳＷ１が切り替えられ、ロービーム用ランプＬｏが選択されるように第２のスイッチ回路ＳＷ２が切り替えられ、ライティングをＯＮするように第３のスイッチ回路ＳＷ３が切り替えられている。【０２４５】
ここで、上記各スイッチ回路ＳＷ１〜ＳＷ３の状態では、ハイビーム用ランプＨｉが故障しているため、電流ｉが流れない。【０２４６】
これにより、第１から第３のランプ回路Ｌ１〜Ｌ３は消灯する（図４５）。【０２４７】
次に、図５６の例では、第１から第３のスイッチ回路ＳＷ１〜ＳＷ３の状態は、既述の図１４に示す状態と同様である。【０２４８】
すなわち、使用者により、パッシングをＯＦＦするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０２４９】
ここで、上記各スイッチ回路ＳＷ１〜ＳＷ３の状態では、ハイビーム用ランプＨｉが故障しているため、電流ｉが流れない。【０２５０】
これにより、第１から第３のランプ回路Ｌ１〜Ｌ３は消灯する（図４５）。【０２５１】
次に、図５７の例では、第１から第３のスイッチ回路ＳＷ１〜ＳＷ３の状態は、既述の図１５に示す状態と同様である。【０２５２】
すなわち、使用者により、パッシングをＯＮするように第１のスイッチ回路ＳＷ１が切り替えられ、ハイビーム用ランプＨｉが選択されるように第２のスイッチ回路ＳＷ２が切り替えられ、ライティングをＯＮするように第３のスイッチ回路ＳＷ３が切り替えられている。【０２５３】
ここで、上記各スイッチ回路ＳＷ１〜ＳＷ３の状態では、ハイビーム用ランプＨｉが故障しているため、電流ｉが流れない。【０２５４】
これにより、第１から第３のランプ回路Ｌ１〜Ｌ３は消灯する（図４５）。【０２５５】
なお、上記図４６から図５７に示す場合においては、スイッチ制御回路Ｃ１は動作せず、このスイッチ制御回路Ｃ１が、電流ｉに影響を与えることはない。【０２５６】
以上のように、実施例１に係るランプ点灯装置１００のハイビーム用ランプＨｉが故障している場合における動作（図４５）は、ハイビーム用ランプＨｉが選択され且つポジションランプＰｏを点灯する場合の点灯状態の一部が異なる以外は、図４４に示す一般的なバルブランプ点灯装置のハイビーム用ランプＨｉが故障している場合における動作と同等になる。【０２５７】
以上、本発明に係るＬＥＤランプ点灯装置１００によれば、従来の一般的なバルブランプ点灯装置と同等の動作が可能となる。【０２５８】
また、ＬＥＤランプの破損時においても、使用者が各スイッチ回路を操作して、各ＬＥＤランプの点灯を制御することができる。【０２５９】
さらに、ハイビーム用ランプＨｉ／ロービーム用ランプＬｏと同期しない種類のＬＥＤランプ（ポジションランプＰｏ）においても、故障時にハイビーム用ランプＨｉ／ロービーム用ランプＬｏの動作への影響が少ない。【０２６０】
さらに、既述のように、ＬＥＤランプ点灯装置１００において、第１の外部端子Ｔａ１と第２の外部端子Ｔａ２との間が短絡されることにより、第１のランプ回路Ｌ１、第２のランプ回路Ｌ２、および、第３のランプ回路Ｌ３が消灯する。そして、例えば、第３のスイッチ回路ＳＷ３を切り替えてライティングをＯＦＦからＯＮにすることにより、第１の外部端子Ｔａ１と第２の外部端子Ｔａ２との間が短絡された状態から、第１のランプ回路Ｌ１、第２のランプ回路Ｌ２、および、第３のランプ回路Ｌ３に電流が流れて、第１の外部端子Ｔａ１と第２の外部端子Ｔａ２との間の電位差が徐々に大きくなる。これにより、ライティングをＯＦＦからＯＮにした場合のラッシュ電流も抑制できる。【０２６１】
なお、実施形態は例示であり、発明の範囲はそれらに限定されない。
【符号の説明】
【０２６２】
Ｇ  交流発電機
１０  ランプ駆動電源
１００  ＬＥＤランプ点灯装置
Ｔａ１  第１の外部端子
Ｔａ２  第２の外部端子
Ｌ１  第１のランプ回路
Ｌ２  第２のランプ回路
Ｌ３  第３のランプ回路
ＳＷ１  第１のスイッチ回路
ＳＷ２  第２のスイッチ回路
ＳＷ３  第３のスイッチ回路
ＳＣＲ  スイッチ素子
Ｄ  ダイオード
Ｃ１  スイッチ制御回路
【要約】
ＬＥＤランプ点灯装置１００は、ランプ駆動電源１０の低電位側の第１の電源端子ＴＳ１と高電位側の第２の電源端子ＴＳ２との間に接続され、ランプ駆動電源１０から駆動電流の供給を受け、この駆動電流により直列に接続された複数のＬＥＤランプを点灯する。【図１】
0005654175.tif 000002
【図２】
0005654175.tif 000003
【図３】
0005654175.tif 000004
【図４】
0005654175.tif 000005
【図５】
0005654175.tif 000006
【図６】
0005654175.tif 000007
【図７】
0005654175.tif 000008
【図８】
0005654175.tif 000009
【図９】
0005654175.tif 000010
【図１０】
0005654175.tif 000011
【図１１】
0005654175.tif 000012
【図１２】
0005654175.tif 000013
【図１３】
0005654175.tif 000014
【図１４】
0005654175.tif 000015
【図１５】
0005654175.tif 000016
【図１６】
0005654175.tif 000017
【図１７】
0005654175.tif 000018
【図１８】
0005654175.tif 000019
【図１９】
0005654175.tif 000020
【図２０】
0005654175.tif 000021
【図２１】
0005654175.tif 000022
【図２２】
0005654175.tif 000023
【図２３】
0005654175.tif 000024
【図２４】
0005654175.tif 000025
【図２５】
0005654175.tif 000026
【図２６】
0005654175.tif 000027
【図２７】
0005654175.tif 000028
【図２８】
0005654175.tif 000029
【図２９】
0005654175.tif 000030
【図３０】
0005654175.tif 000031
【図３１】
0005654175.tif 000032
【図３２】
0005654175.tif 000033
【図３３】
0005654175.tif 000034
【図３４】
0005654175.tif 000035
【図３５】
0005654175.tif 000036
【図３６】
0005654175.tif 000037
【図３７】
0005654175.tif 000038
【図３８】
0005654175.tif 000039
【図３９】
0005654175.tif 000040
【図４０】
0005654175.tif 000041
【図４１】
0005654175.tif 000042
【図４２】
0005654175.tif 000043
【図４３】
0005654175.tif 000044
【図４４】
0005654175.tif 000045
【図４５】
0005654175.tif 000046
【図４６】
0005654175.tif 000047
【図４７】
0005654175.tif 000048
【図４８】
0005654175.tif 000049
【図４９】
0005654175.tif 000050
【図５０】
0005654175.tif 000051
【図５１】
0005654175.tif 000052
【図５２】
0005654175.tif 000053
【図５３】
0005654175.tif 000054
【図５４】
0005654175.tif 000055
【図５５】
0005654175.tif 000056
【図５６】
0005654175.tif 000057
【図５７】
0005654175.tif 000058